(57)【要約】  操作部における利用者の入力操作にて、再生端末装置のいずれかに切り替える切替要求を認識すると、現時点で動作している再生端末装置が音声系か映像系かの再生系統を判断し、現時点で動作している再生端末装置と同一の再生系統で他の再生端末装置を動作させる状態に切り替える処理をする。切り替わりの順番で音声系と画像系と混在することなく、音声系と画像系とがまとまった状態で切り替わり、切替処理時にデータ形式が異なる表示の切替による画面のちらつきなどの不都合を最小限に抑えることができ、良好な利用を提供できる。
2007074624.tif 000002
【特許請求の範囲】
【請求項１】
音声データを有するコンテンツデータを再生可能に処理する音声系の再生端末装置および映像データを有するコンテンツデータを再生可能に処理する映像系の再生端末装置がそれぞれ複数接続可能で、前記再生端末装置のいずれかを動作させて前記コンテンツデータを再生させる切替制御装置であって、
入力操作による前記接続される再生端末装置のいずれかに切り替える切替要求を認識する切替要求認識手段と、
この切替要求認識手段にて前記切替要求を認識すると、現時点で動作させている前記再生端末装置が音声系か映像系かの再生系統を判断し、現時点で動作させている前記再生端末装置と同一の再生系統で他の前記再生端末装置を動作させる状態に切り替えるソース切替手段と、
を具備したことを特徴とした切替制御装置。
【請求項２】
請求項１に記載の切替制御装置であって、
複数の前記再生端末装置には、音声データを有するコンテンツデータおよび映像データを有するコンテンツデータを再生可能に処理する両系統再生端末装置が含まれており、
前記ソース切替手段は、前記両系統再生端末装置の現時点での再生系統が音声系か映像系かを判断して、動作させる前記再生端末装置を切り替える処理をする
ことを特徴とした切替制御装置。
【請求項３】
請求項１または請求項２に記載の切替制御装置であって、
前記ソース切替手段は、接続された前記再生端末装置で同一の再生系統で動作させる他の前記再生端末装置がない場合には異なる再生系統の前記再生端末装置を動作させる状態に切り替える処理をする
ことを特徴とした切替制御装置。
【請求項４】
請求項１ないし請求項３のいずれかに記載の切替制御装置であって、
前記切替要求を認識する毎に次に動作させる前記再生端末装置の順番を記憶する記憶手段を具備し、
前記ソース切替手段は、前記記憶手段に記憶された順番に従って動作させる前記再生端末装置を切り替える処理をする
ことを特徴とした切替制御装置。
【請求項５】
請求項４に記載の切替制御装置であって、
前記記憶手段は、再生させる前記再生端末装置の順番が再生系統で音声系と映像系とにグループ化して記憶している
ことを特徴とした切替制御装置。
【請求項６】
演算手段により、音声データを有するコンテンツデータを再生可能に処理する音声系の再生端末装置および映像データを有するコンテンツデータを再生可能に処理する映像系の再生処理装置がそれぞれ複数接続可能に接続され前記処理されたコンテンツデータを出力装置で再生させる再生装置における前記再生端末装置のいずれかを動作させて前記コンテンツデータを再生させる切替制御方法であって、
前記演算手段は、
入力操作による前記接続される再生端末装置のいずれかに切り替える切替要求を認識すると、現時点で動作させている再生端末装置が音声系か映像系かの再生系統を判断し、
この再生系統の判断により認識した現在時点で動作させている前記再生端末装置と同一の再生系統となる他の前記再生端末装置を動作させる状態に切り替える制御をする
ことを特徴とする切替制御方法。
【請求項７】
演算手段を請求項１ないし請求項５のいずれかに記載の切替制御装置として機能させる
ことを特徴とした切替制御プログラム。
【請求項８】
請求項７に記載の切替制御プログラムが演算手段にて読み取り可能に記憶された
ことを特徴とする切替制御プログラムを記録した記録媒体。
【請求項９】
請求項１ないし請求項５のいずれかに記載の切替制御装置と、
前記再生端末装置のいずれかに切り替える切替要求を入力操作可能で入力操作に応じた操作信号を出力する操作手段と、
を具備したことを特徴とした再生装置。
【発明の詳細な説明】
【技術分野】
【０００１】
本発明は、複数の再生端末装置のうちいずれかを動作させてコンテンツデータを再生させる切替制御装置、その方法、そのプログラム、そのプログラムを記録した記録媒体、および、再生装置に関する。
【背景技術】
【０００２】
従来、例えば音楽や映像などのコンテンツデータを再生する再生装置として、操作ボタンを操作してソースを切り替える構成が知られている（例えば、特許文献１参照）。
この特許文献１に記載のものは、オーディオソースの切替を指示するソースキーが押し下げ操作されると、変数ｎに１を加算し、ソース選択テーブルにおけるｎ番目のソースに切り替え、順次ソースを切り替える構成が採られている。【０００３】
【特許文献１】特開２００１−３０９４８１号公報
【発明の開示】
【発明が解決しようとする課題】
【０００４】
しかしながら、上記特許文献１に記載のようなソースキーの押し下げ操作により順次ソースを切り替える際に、例えば、映像を伴わないコンテンツデータを再生させる音声系と、映像を伴うコンテンツデータを再生させる映像系で、切り替える際に表示形態が異なることにより画面がちらついたりノイズが生じたりするなどの不都合を生じるおそれがある。【０００５】
本発明は、このような実情などに鑑みて、良好な利用状態が得られる切替制御装置、その方法、そのプログラム、そのプログラムを記録した記録媒体、および、再生装置を提供することを１つの目的とする。
【課題を解決するための手段】
【０００６】
本発明の切替制御装置は、音声データを有するコンテンツデータを再生可能に処理する音声系の再生端末装置および映像データを有するコンテンツデータを再生可能に処理する映像系の再生端末装置がそれぞれ複数接続可能で、前記再生端末装置のいずれかを動作させて前記コンテンツデータを再生させる切替制御装置であって、入力操作による前記接続される再生端末装置のいずれかに切り替える切替要求を認識する切替要求認識手段と、この切替要求認識手段にて前記切替要求を認識すると、現時点で動作させている前記再生端末装置が音声系か映像系かの再生系統を判断し、現時点で動作させている前記再生端末装置と同一の再生系統で他の前記再生端末装置を動作させる状態に切り替えるソース切替手段と、を具備したことを特徴とする。【０００７】
本発明の切替制御方法は、演算手段により、音声データを有するコンテンツデータを再生可能に処理する音声系の再生端末装置および映像データを有するコンテンツデータを再生可能に処理する映像系の再生処理装置がそれぞれ複数接続可能に接続され前記処理されたコンテンツデータを出力装置で再生させる再生装置における前記再生端末装置のいずれかを動作させて前記コンテンツデータを再生させる切替制御方法であって、前記演算手段は、入力操作による前記接続される再生端末装置のいずれかに切り替える切替要求を認識すると、現時点で動作させている再生端末装置が音声系か映像系かの再生系統を判断し、この再生系統の判断により認識した現在時点で動作させている前記再生端末装置と同一の再生系統となる他の前記再生端末装置を動作させる状態に切り替える制御をすることを特徴とする。【０００８】
本発明の切替制御プログラムは、演算手段を前述した本発明の切替制御装置として機能させることを特徴とする。【０００９】
本発明の切替制御プログラムを記録した記録媒体は、前述した本発明の切替制御プログラムが演算手段にて読み取り可能に記憶されたことを特徴とする。【００１０】
本発明の再生装置は、前述した本発明の切替制御装置と、前記再生端末装置のいずれかに切り替える切替要求を入力操作可能で入力操作に応じた操作信号を出力する操作手段と、を具備したことを特徴とする。
【図面の簡単な説明】
【００１１】
【図１】本発明の一実施形態における再生システムの概略構成を示すブロック図である。
【図２】前記実施形態における再生システムでのソースの切替処理の動作を示すフローチャートである。
【符号の説明】
【００１２】
１００……再生装置としても機能する再生システム
２００……出力装置としての表示部
３００……出力装置としてのスピーカ
５００……再生装置
５１０……操作手段としての操作部
５２１……記憶手段としてのメモリ
５２２……演算手段としての切替制御装置である演算部
５２２Ａ…切替要求認識手段
５２２Ｂ…ソース切替手段としてのソース切替部
【発明を実施するための最良の形態】
【００１３】
以下、本発明の一実施形態を図面に基づいて説明する。本実施形態では、本発明の切替制御装置を備え各種再生端末装置が接続された再生装置としても機能する再生システムを例示して説明するが、これに限られず、複数の処理を実施するいずれの構成でも適用できる。そして、コンテンツの処理としては、再生のみに限らず、コンテンツデータを記録する処理を実施する構成としてもよい。また、再生端末装置の接続状態は、本実施形態に限らず、いずれかが接続された構成や、例えば着脱可能なメモリが装着されてメモリに記憶されたコンテンツを再生する端末装置など、他の構成が接続される構成でもよい。
図１は、本発明の一実施形態における再生装置の概略構成を示すブロック図である。【００１４】
〔再生システムの構成〕
図１において、１００は移動体である車両に搭載される車載用の再生システムで、この再生システム１００は、音楽や音声、映像などの各種コンテンツデータを再生するシステムである。なお、移動体としては、車両に限らず、飛行機、船舶などいずれの移動体が対象となる。
そして、再生システム１００は、出力装置としての表示部２００と、出力装置としてのスピーカ３００と、再生端末装置４００と、再生装置５００と、を備えている。【００１５】
表示部２００は、再生装置５００に各種情報が送受信可能に接続されている。この表示部２００は、再生装置５００にて制御され再生装置５００から出力される静止画や映像などの画像データや映像データを画面表示する。
この表示部２００としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。【００１６】
スピーカ３００は、車両に搭載され再生装置５００に接続されている。このスピーカ３００は、再生装置５００から出力される音声データを発音により再生する。【００１７】
再生端末装置４００は、再生装置５００に接続され、再生装置５００からの指令信号に基づいて、記録媒体に記録されたコンテンツデータや放送波として配信されるコンテンツデータを取得して再生のための処理をする。
この再生端末装置４００としては、例えばラジオチューナー部４１０、ＣＤ（Compact Disc）／ＤＶＤ（Digital Versatile Disc）プレーヤ４２０、ＭＤ（Mini Disc）プレーヤ４３０、カセットテーププレーヤ４４０、テレビジョンチューナー部４５０、ビデオテーププレーヤ４６０などが例示できる。なお、再生端末装置４００としては、これらに限らず、例えばＨＤ（Hard Disk）プレーヤや、メモリカードプレーヤなど、各種構成が適用できる。
これら再生端末装置４００は、コンテンツデータとして、映像を含まないラジオやＣＤなどの音声データのみを処理する音声系の構成と、映像データを処理する映像系の構成と、に分類できる。すなわち、再生端末装置４００は、ラジオチューナー部４１０、ＣＤが装着されたＣＤ／ＤＶＤプレーヤ４２０、ＭＤ（Mini Disc）プレーヤ４３０、カセットテーププレーヤ４４０は音声系で、ＤＶＤが装着されたＣＤ／ＤＶＤプレーヤ４２０、テレビジョンチューナー部４５０、ビデオテーププレーヤ４６０は、映像系である。これらの両系統の再生端末装置４００が再生装置５００に接続されている。【００１８】
ラジオチューナー部４１０は、ラジオ放送を再生するための音声系の装置である。このラジオチューナー部４１０は、再生装置５００からの指令信号に応じて、所定の周波数帯の放送波であるラジオ放送波を受信し、コンテンツデータである音声データを抽出して再生装置５００へ出力する。【００１９】
ＣＤ／ＤＶＤプレーヤ４２０は、記録媒体であるＣＤやＤＶＤを再生するためのドライブ装置で、映像を含まない音声データを記録したＣＤやＤＶＤが装着された場合には音声系、映像データを含むＤＶＤが装着された場合には映像系として機能する装置である。
ＣＤ／ＤＶＤプレーヤ４２０は、この再生装置５００からの指令信号に応じて、着脱可能に装着されたＣＤやＤＶＤに記録された所定のコンテンツデータである音声データ、あるいは音声データおよび映像データの双方を読み取り、適宜処理して再生装置５００へ出力する。【００２０】
ＭＤプレーヤ４３０は、記録媒体であるＭＤを再生するためのドライブ装置で、音声系の装置である。このＭＤプレーヤ４３０は、再生装置５００からの指令信号に応じて、着脱可能に装着されたＭＤに記録された所定のコンテンツデータである音声データを読み取り、適宜処理して再生装置５００へ出力する。【００２１】
カセットテーププレーヤ４４０は、記録媒体であるカセットテープを再生するための音声系の装置である。このカセットテーププレーヤ４４０は、再生装置５００からの指令信号に応じて、着脱可能に装着されたカセットテープに記録された音声データを読み取り、適宜処理して再生装置５００へ出力する。【００２２】
テレビジョンチューナー部４５０は、テレビジョン（ＴＶ）放送を再生するための映像系の装置である。このテレビジョンチューナー部４５０は、再生装置５００からの指令信号に応じて、所定の周波数帯の放送波であるテレビジョン放送波を受信し、音声データおよび映像データを抽出して再生装置５００へ出力する。【００２３】
ビデオテーププレーヤ４６０は、携帯用撮像装置などのビデオテープレコーダ（Video Tape Recorder：ＶＴＲ）などにより記録された記録媒体であるビデオカセットテープを再生するための映像系の装置である。このビデオテーププレーヤ４６０は、再生装置５００からの指令信号に応じて、着脱可能に装着されたビデオカセットテープに記録された音声データおよび映像データを読み取り、適宜処理して再生装置５００へ出力する。【００２４】
再生装置５００は、接続されている複数の再生端末装置４００のうち、いずれかを動作制御してコンテンツデータを表示部２００やスピーカ３００で再生させる処理をする。この再生装置５００は、操作手段としての操作部５１０と、本体部５２０と、を備えている。【００２５】
操作部５１０は、本体部５２０に一体的に設けられ、利用者が入力操作可能に例えば本体部５２０の正面に位置する状態に配設された操作ボタンや操作つまみなどを備えている。そして、操作部５１０は、利用者による入力操作に応じた操作信号を接続された再生装置５００へ出力し再生装置５００で設定入力させる。
この操作部５１０における入力操作としては、例えば、接続されている再生端末装置４００のうち、動作させる再生端末装置４００のいずれかに押動操作毎に順次切り替える切替操作、音量の大きさを変更する音量設定操作、表示状態を調整する表示調整操作、コンテンツデータを特定するコンテンツ選択操作などが例示できる。
そして、本実施形態では、再生端末装置４００の切替操作として、押動操作される切替ボタンの入力操作により操作信号として動作させる再生端末装置４００すなわちソースを切り替える切替要求信号が出力される構成を例示する。なお、回転操作によりソースが順次切り替わる構成など、いずれの構成が適用できる。【００２６】
本体部５２０は、例えば矩形箱状の図示しない筐体内に配設された、記憶手段としてのメモリ５２１と、演算手段としての演算部５２２と、などを備えている。
メモリ５２１は、例えば操作部５１０における操作信号により演算部５２２で設定入力された事項や、音声系の再生端末装置４００を動作させて音声データを再生する際に、表示部２００で画面表示させる所定の画像データなどを記憶している。【００２７】
また、メモリ５２１には、操作部５１０における利用者により、動作させる再生端末装置４００の切替要求が入力された場合に、動作させる再生端末装置４００の切り替える順番すなわちソース切替の順番に関する順番情報が記憶されている。この順番情報は、例えば音声系と映像系とにグループ化され、グループ化された中で順次切り替わり、そのグループの次は次のグループに順次切り替わる。
具体的には、音声系であるラジオチューナー部４１０の次が、ＣＤが装着されたＣＤ／ＤＶＤプレーヤ４２０、この次がＭＤプレーヤ４３０、この次がカセットテーププレーヤ４４０の順番で、映像系であるＤＶＤが装着されたＣＤ／ＤＶＤプレーヤ４２０、この次がテレビジョンチューナー部４５０、この次がビデオテーププレーヤ４６０の順番で切り替えられるようになっている。さらに、音声系の最後となるカセットテーププレーヤ４４０の次は、次のグループであり最後のグループとなる映像系の最初となるＤＶＤが装着されたＣＤ／ＤＶＤプレーヤ４２０へ順次切り替わり、映像系の最後となるビデオテーププレーヤ４６０の次は、最初のグループとなる音声系の最初となるラジオチューナー部４１０に順次切り替わる。すなわち、ラジオチューナー部４１０→ＣＤが装着されたＣＤ／ＤＶＤプレーヤ４２０→ＭＤプレーヤ４３０→カセットテーププレーヤ４４０→ＤＶＤが装着されたＣＤ／ＤＶＤプレーヤ４２０→テレビジョンチューナー部４５０→ビデオテーププレーヤ４６０→ラジオチューナー部４１０に戻るループ状の順番となっている。【００２８】
なお、順番情報は、例えば操作部５１０の操作により、適宜変更可能としてもよい。この変更としては、音声系および映像系の各グループ内で変更可能とすることが好ましい。
また、メモリ５２１としては、ＨＤ（Hard Disk）、ＤＶＤなどの光ディスク、光磁気ディスク、メモリカードなどの各種記録媒体に読み出し可能に記憶するドライブやドライバなどを備えた構成としてもよい。なお、例えば停電などにより突然電源が落ちた際にも記憶が保持される構成のメモリであるＣＭＯＳ（Complementary Metal-Oxide Semiconductor）メモリなどを用いることが望ましい。【００２９】
演算部５２２は、例えばＣＰＵ（Central Processing Unit）を備え、再生システム１００全体における各種処理を実施する。演算部５２２は、再生システム１００全体を動作制御するＯＳ（Operating System）上に展開される各種プログラムとして、切替要求認識手段５２２Ａと、ソース切替部５２２Ｂと、ディスク判別部５２２Ｃと、などを備えている。【００３０】
切替要求認識手段５２２Ａは、操作部５１０からの操作信号における動作させる再生端末装置４００を切り替える旨の切替要求信号を認識、具体的には操作部５１０の切替ボタンの押動操作による切替要求信号の有無を認識する。そして、切替要求認識手段５２２Ａは、操作部５１０からの切替要求信号を認識すると、その旨の確認信号をソース切替部５２２Ｂへ出力する。【００３１】
ソース切替部５２２Ｂは、切替要求認識手段５２２Ａからの切替要求信号を認識した旨の確認信号を認識すると、現時点で選択されて動作されている再生端末装置４００の再生系統が音声系か映像系かを判断する。すなわち、ラジオチューナー部４１０、ＣＤ／ＤＶＤプレーヤ４２０、ＭＤプレーヤ４３０、カセットテーププレーヤ４４０、テレビジョンチューナー部４５０、ビデオテーププレーヤ４６０のうちのいずれであるかを判断する。
そして、ソース切替部５２２Ｂは、現時点で動作している再生端末装置４００と同一の再生系統で他の再生端末装置４００に切り替える。この同一の再生系統の他の再生端末装置４００への切り替えとしては、上述したように、メモリ５２１に記憶された順番情報に従った順番で切り替える。【００３２】
また、ソース切替部５２２Ｂは、例えば電力の供給直後など、現時点では再生端末装置４００が動作していないことを認識すると、電源が投入される前に電源の供給により電源の供給が停止される直前に動作していた再生端末装置４００がいずれの再生端末装置４００かをメモリ５２１に記憶されているかを検索する。そして、従前に動作していた再生端末装置４００が認められた場合には、その従前の再生端末装置４００を動作させる設定をする。また、例えば初期状態など、メモリ５２１に従前に動作していた再生端末装置４００が記憶されていない場合には、例えば最初のグループの最初の順番となるラジオチューナー部４１０を動作させる設定をする。【００３３】
ディスク判別部５２２Ｃは、メモリ５２１に記憶された順番情報における順番において、音声系および映像系の双方として機能し得る再生端末装置４００が音声系か映像系かを判断する。具体的には、ディスク判別部５２２Ｃは、音声系および映像系の双方で機能し得るＣＤ／ＤＶＤプレーヤ４２０に装着されているディスク状記録媒体がＣＤかＤＶＤかを判断し、ＣＤが装着されている場合には音声系と判断し、ＤＶＤが装着されている場合には映像系と判断し、それらの旨をソース切替部５２２Ｂへ出力する。【００３４】
〔再生システムの動作〕
次に、上記実施形態における再生システム１００の動作について、図２を参照して説明する。
図２は、ソース切替の際の切替処理の動作を示すフローチャートである。【００３５】
まず、再生システム１００に電力が供給されると、再生装置５００の演算部５２２は初期状態としてメモリ５２１に記憶されたメニュー画面を表示部２００に画面表示させる処理をし、利用者による動作設定の入力待機状態となる。なお、接続されている各再生端末装置４００は、利用者による動作設定の入力操作により、動作可能な動作待機状態となる。
そして、利用者が操作部５１０の切替ボタンを押動操作すると、演算部５２２は、ソースの切替処理を実施する。【００３６】
すなわち、操作部５１０の切替ボタンが押動操作されると、図２に示すように、演算部５２２の切替要求認識手段５２２Ａが切替ボタンの押動操作による操作部５１０からの切替要求信号を認識し（ステップＳ１０１）、その旨の確認信号をソース切替部５２２Ｂへ出力する。
この確認信号を認識したソース切替部５２２Ｂは、現時点で選択されて動作している再生端末装置４００がいずれの再生端末装置４００か判断する（ステップＳ１０２）。【００３７】
このステップＳ１０２で、ソース切替部５２２Ｂが現時点で動作している再生端末装置４００がないと判断した場合、電源が投入される前に電源の供給により電源の供給が停止される直前に動作していた再生端末装置４００がいずれの再生端末装置４００かをメモリ５２１に記憶されているかを検索する。そして、従前に動作していた再生端末装置４００が認められた場合には、その従前の再生端末装置４００を動作させる設定をする。
また、例えば初期状態など、メモリ５２１に従前に動作していた再生端末装置４００が記憶されていない場合には、例えば最初のグループの最初の順番となるラジオチューナー部４１０を動作させる設定をする。
すなわち、操作部５１０の入力操作に応じた操作信号に基づく演算部５２２からの制御信号により、ラジオチューナー部４１０で所定の周波数帯の放送波であるラジオ放送波を受信させ、ラジオ放送波から音声データを抽出させて演算部５２２へ出力させる。そして、演算部５２２は、ラジオチューナー部４１０から取得した音声データを適宜増幅処理するなどしてスピーカ３００から出力させる。【００３８】
一方、ステップＳ１０２において、ソース切替部５２２Ｂが現時点で動作している再生端末装置４００がラジオチューナー部４１０であると判断した場合、同一の再生系統である音声系で他の再生端末装置４００、すなわち次の順番となるＣＤが装着されたＣＤ／ＤＶＤプレーヤ４２０を動作させる処理に移行する。ここで、演算部５２２は、ＣＤ／ＤＶＤプレーヤ４２０が音声系か映像系かのいずれの再生系統かをディスク判別部５２２Ｃにより判断する（ステップＳ１０３）。【００３９】
このステップＳ１０３における再生系統の判断は、例えばディスク判別部５２２ＣがＣＤ／ＤＶＤプレーヤ４２０を動作させ、光ピックアップによりディスク状記録媒体が装着されているか、装着されているディスク状記録媒体はＣＤかＤＶＤかを読み取らせて判断する。なお、これらの判断は、光ピックアップによる読取処理に限られるものではなく、例えばＣＤ／ＤＶＤプレーヤ４２０に配設された各種センサにより判断するなど、いずれの方法が適用できる。
そして、ディスク判別部５２２Ｃが、ＣＤ／ＤＶＤプレーヤ４２０の読取動作でＣＤが装着されていると判断すると、ソース切替部５２２Ｂは、ＣＤ／ＤＶＤプレーヤ４２０が現時点で動作させているラジオチューナー部４１０と同一の音声系と判断し、そのままＣＤ／ＤＶＤプレーヤ４２０を動作させる設定をする（ステップＳ１０４）。
すなわち、演算部５２２は、操作部５１０の入力操作に応じた操作信号に基づく制御信号により、ＣＤ／ＤＶＤプレーヤ４２０で装着されているＣＤから所定の楽曲データなどの音声データを読み取らせ、適宜処理させて演算部５２２へ出力させる。そして、演算部５２２は、ＣＤ／ＤＶＤプレーヤ４２０から取得した音声データを適宜増幅処理するなどしてスピーカ３００から出力させる。さらに、演算部５２２は、音声系の再生端末装置４００を動作制御していることから、メモリ５２１から表示部２００で画面表示させる例えばＣＤ再生用などの所定の画像データを読み出し、表示部２００で画面表示させる処理をする。【００４０】
一方、ステップＳ１０３において、ディスク判別部５２２Ｃが、ＣＤ／ＤＶＤプレーヤ４２０の読取動作でＣＤが装着されていない、もしくはＤＶＤが装着されていると判断すると、ソース切替部５２２Ｂは、ＣＤ／ＤＶＤプレーヤ４２０が現時点で動作させているラジオチューナー部４１０と同一の音声系と判断し、音声系で機能するＣＤ／ＤＶＤプレーヤ４２０は接続されていないと判断する。この判断により、ソース切替部５２２Ｂは、順番情報に基づいて、音声系におけるさらに次の順番となるＭＤプレーヤ４３０を動作させる設定をする（ステップＳ１０５）。
すなわち、演算部５２２は、操作部５１０の入力操作に応じた操作信号に基づく制御信号により、ＭＤプレーヤ４３０で装着されているＭＤから所定の音声データを読み取らせ、適宜処理させて演算部５２２へ出力させる。そして、演算部５２２は、上述したように、ＭＤプレーヤ４３０から取得した音声データを適宜増幅処理するなどしてスピーカ３００から出力させるとともに、メモリ５２１から例えばＭＤ再生用などの所定の画像データを読み出して表示部２００で画面表示させる処理をする。【００４１】
また、ステップＳ１０２において、ソース切替部５２２Ｂが現時点で動作している再生端末装置４００が音声系であるＣＤが装着されたＣＤ／ＤＶＤプレーヤ４２０であると判断、すなわちＣＤ／ＤＶＤプレーヤ４２０でＣＤを再生処理させている音声系の処理と判断した場合、同一の再生系統である音声系で他の再生端末装置４００となる順番情報における次の順番の上述したＭＤプレーヤ４３０を動作させる設定をする（ステップＳ１０５）。【００４２】
さらに、ステップＳ１０２において、ソース切替部５２２Ｂが現時点で動作している再生端末装置４００がＭＤプレーヤ４３０であると判断した場合、同一系の音声系で他の再生端末装置４００、すなわち次の順番となるカセットテーププレーヤ４４０を動作させる設定をする（ステップＳ１０６）。
すなわち、演算部５２２は、操作部５１０の入力操作に応じた操作信号に基づく制御信号により、カセットテーププレーヤ４４０で装着されたカセットテープから所定の音声データを読み取らせ、適宜処理させて演算部５２２へ出力させる。そして、演算部５２２は、上述したように、カセットテーププレーヤ４４０から取得した音声データを適宜増幅処理するなどしてスピーカ３００から出力させるとともに、メモリ５２１から例えばカセットテープ再生用などの所定の画像データを読み出して表示部２００で画面表示させる処理をする。【００４３】
また、ステップＳ１０２において、ソース切替部５２２Ｂが現時点で動作している再生端末装置４００がカセットテーププレーヤ４４０であると判断した場合、同一系の音声系で他の再生端末装置４００となる次の順番の再生端末装置４００がないので、次のグループである映像系における最初の順番となるＤＶＤが装着されたＣＤ／ＤＶＤプレーヤを動作させる処理に移行する。ここで、演算部５２２は、上述したように、ＣＤ／ＤＶＤプレーヤ４２０が音声系か映像系かのいずれの再生系統かをディスク判別部５２２Ｃにより判断する（ステップＳ１０７）。
そして、このステップＳ１０７で、ディスク判別部５２２Ｃが上述したような読取処理によりＤＶＤが装着されていると判断すると、ソース切替部５２２Ｂは、映像系として機能するＣＤ／ＤＶＤプレーヤ４２０であると判断し、そのままＣＤ／ＤＶＤプレーヤ４２０を動作させる設定をする（ステップＳ１０８）。
すなわち、演算部５２２は、操作部５１０の入力操作に応じた操作信号に基づく制御信号により、ＣＤ／ＤＶＤプレーヤ４２０で装着されているＤＶＤから所定の音声データおよび映像データを読み取らせ、適宜処理させて演算部５２２へ出力させる。そして、演算部５２２は、ＣＤ／ＤＶＤプレーヤ４２０から取得した音声データを適宜増幅処理するなどしてスピーカ３００から出力させるとともに、取得した映像データを音声と同期させて表示部２００で表示させる処理をする。【００４４】
一方、ステップＳ１０７において、ディスク判別部５２２Ｃが、ＣＤ／ＤＶＤプレーヤ４２０の読取動作でＤＶＤが装着されていない、もしくはＣＤが装着されていると判断すると、ソース切替部５２２Ｂは、映像系で機能するＣＤ／ＤＶＤプレーヤ４２０は接続されていないと判断する。この判断により、ソース切替部５２２Ｂは、順番情報に基づいて、映像系におけるさらに次の順番となるテレビジョンチューナー部４５０を動作させる設定をする（ステップＳ１０９）。
すなわち、演算部５２２は、操作部５１０の入力操作に応じた操作信号に基づく演算部５２２からの制御信号により、テレビジョンチューナー部４５０で所定の周波数帯の放送波であるテレビジョン放送波を受信させ、テレビジョン放送波から音声データおよび映像データを抽出させて演算部５２２へ出力させる。そして、演算部５２２は、テレビジョンチューナー部４５０から取得した音声データを適宜増幅処理するなどしてスピーカ３００から出力させるとともに、取得した映像データを音声と同期させて表示部２００で表示させる処理をする。【００４５】
また、ステップＳ１０２において、ソース切替部５２２Ｂが現時点で動作している再生端末装置４００が映像系であるＤＶＤが装着されたＣＤ／ＤＶＤプレーヤ４２０であると判断、すなわちＣＤ／ＤＶＤプレーヤ４２０でＤＶＤを再生処理させている映像系の処理と判断した場合、同一の再生系統である映像系で他の再生端末装置４００となる順番情報における次の順番の上述したテレビジョンチューナー部４５０を動作させる設定をする（ステップＳ１０９）。【００４６】
さらに、ステップＳ１０２において、ソース切替部５２２Ｂが現時点で動作している再生端末装置４００がテレビジョンチューナー部４５０である判断した場合、同一系の映像系で他の再生端末装置４００、すなわち次の順番となるビデオテーププレーヤ４６０を動作させる設定をする（ステップＳ１１０）。
すなわち、演算部５２２は、操作部５１０の入力操作に応じた操作信号に基づく制御信号により、ビデオテーププレーヤ４６０で装着されたビデオカセットテープから所定の音声データおよび映像データを読み取らせ、適宜処理させて演算部５２２へ出力させる。そして、演算部５２２は、カセットテーププレーヤ４４０から取得した音声データを適宜増幅処理するなどしてスピーカ３００から出力させるとともに、取得した映像データを音声と同期させて表示部２００で表示させる処理をする。【００４７】
また、ステップＳ１０２において、ソース切替部５２２Ｂが現時点で動作している再生端末装置４００がビデオテーププレーヤ４６０であると判断した場合、同一系の映像系で他の再生端末装置４００となる次の順番の再生端末装置４００がないので、元のグループに戻って音声系における最初の順番となる上述したラジオチューナー部４１０を動作させる処理に移行する（ステップＳ１１１）。【００４８】
このようにして、操作部５１０の切替ボタンが操作されることで、ラジオチューナー部４１０→ＣＤが装着されたＣＤ／ＤＶＤプレーヤ４２０→ＭＤプレーヤ４３０→カセットテーププレーヤ４４０→ＤＶＤが装着されたＣＤ／ＤＶＤプレーヤ４２０→テレビジョンチューナー部４５０→ビデオテーププレーヤ４６０→ラジオチューナー部４１０に戻るループ状の順番で、音声系と映像系とでまとまって順次切り替わる。
そして、音声系ではメモリ５２１に記憶された所定の画像データが表示され、映像系では音声系で表示させる画像データとデータ形式が異なるコンテンツデータの映像データが表示される。このことから、切り替わりの順番で音声系と画像系と混在することなく、音声系と画像系とがまとまった状態のグループで切り替わるので、切替処理時にデータ形式が異なる画像データおよび映像データを切替表示させるための表示部２００における画面のちらつきなどの不都合が生じることを最小限に抑えられる。【００４９】
〔再生システムの作用効果〕
上述したように、上記実施形態では、音声データを有するコンテンツデータを再生可能に処理する音声系の再生端末装置４００と映像データを有するコンテンツデータを再生可能に処理する映像系の再生端末装置４００とが接続される再生装置５００で、操作部５１０における利用者の入力操作にて、再生端末装置４００のいずれかに切り替える切替要求を切替要求認識手段５２２Ａが認識すると、ソース切替部５２２Ｂにより、現時点で動作している再生端末装置４００が音声系か映像系かの再生系統を判断し、現時点で動作している再生端末装置と同一の再生系統で他の再生端末装置４００を動作させる状態に切り替える処理をする。
このため、切り替わりの順番で音声系と画像系と混在することなく、音声系と画像系とがまとまった状態のグループで切り替わるので、例えば切替処理時に、音声系を再生中に画面表示させる画像データと、この画像データとデータ形式が異なる映像系で処理する映像データとを切替表示させる表示部２００での画面のちらつきなどの不都合が生じることを最小限に抑えることができ、良好な利用を提供できる。【００５０】
特に、ＣＤ／ＤＶＤプレーヤ４２０のような音声系と映像系との双方で機能し得る再生端末装置４００の場合では、ディスク判別部５２２Ｃにより装着されるディスク状記録媒体を読み取らせ、ソース切替部５２２ＢによりＣＤ／ＤＶＤプレーヤ４２０のような再生端末装置４００が音声系か映像系かを判断している。
このため、一般的に利用されているディスク状記録媒体の有無や種別を認識する構成を利用するのみで容易に再生系統を認識でき、迅速な切替処理ができる。【００５１】
そして、操作部５１０での利用者の入力操作による切替要求を認識する毎に次に動作させる再生端末装置４００の順番に関する順番情報をメモリ５２１に記憶させ、ソース切替部５２２Ｂにより順番情報の順番に従って動作させる再生端末装置４００を順次切り替える。
このため、現時点で動作させている再生端末装置４００が音声系か映像系かを判断して、順番情報に基づいて次の再生端末装置４００を動作させる処理とすればよいので、順番に関する簡単なデータ構造の順番情報で処理を容易に迅速化でき、より良好な利用を提供できる。【００５２】
さらに、順番情報として、音声系と映像系とにあらかじめグループ化して記憶している。
このため、次に動作させる同一の再生系統の再生端末装置４００の選定がより迅速にできる。【００５３】
また、ソース切替部５２２Ｂは、同一の再生系統で動作させる他の再生端末装置がない場合に、異なる再生系統の再生端末装置４００に切り替える処理をしている。
このため、順番情報として音声系と映像系にグループ化し一連のループ状に切り替わる構成として構築することが容易で、再生端末装置４００を再生系統毎に順次切り替えることが容易にできる。【００５４】
そして、演算部５２２として例えばＣＰＵなどを用いてプログラムとして構成しているので、プログラムをインストールすることで、切替による画面のちらつきなどの不都合がなく良好に利用できる構成が容易に得られ利用の拡大が容易に図れる。そして、順番情報として順番を変更可能とすることで、利用者の思考に応じた切替状態を提供でき、汎用性の向上も図れる。
なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。【００５５】
〔実施形態の変形〕
なお、本発明は、上述した一実施形態に限定されるものではなく、本発明の目的を達成できる範囲で以下に示される変形をも含むものである。【００５６】
すなわち、車両に搭載される構成に限らず、家庭用など設置タイプなど、各種形態に適用できる。
また、上述したラジオチューナー部４１０→ＣＤが装着されたＣＤ／ＤＶＤプレーヤ４２０→ＭＤプレーヤ４３０→カセットテーププレーヤ４４０→ＤＶＤが装着されたＣＤ／ＤＶＤプレーヤ４２０→テレビジョンチューナー部４５０→ビデオテーププレーヤ４６０→ラジオチューナー部４１０に戻るループ状の順番に限られず、適宜設定可能であり、また利用者により適宜変更可能としてもよい。【００５７】
そして、メモリ５２１に順番情報を記憶しこの順番に従って切り替える構成を例示したが、順番情報を利用する構成に限らない。
例えば、動作される毎に計数し、切替要求時に従前に動作していた再生端末装置４００でなく現時点の動作する再生端末装置４００と同一の再生系統の他の再生端末装置４００に切り替えるなど、その都度判断して切替処理するなどしてもよい。
また、順番情報としては、上述したループ状の順番となるデータ構造に限らず、いずれのデータ構造で構築できる。【００５８】
また、上述した切替処理において、ステップＳ１０４，Ｓ１０５，Ｓ１０６，Ｓ１０８，Ｓ１０９，Ｓ１１０，Ｓ１１１における各再生端末装置４００の動作処理において、動作処理の対象となる再生端末装置４００が実際に接続されていないことを認識した場合、順番情報におけるさらに次の再生端末装置４００を動作させる処理に移行させてもよい。
さらに、最初に音声系を順次切り替えた後に映像系を順次切り替える構成としたが、逆の構成としてもよい。また、各音声系および映像系のグループ内での順番は上述した構成に限らず、他の順番とすることができる。【００５９】
なお、切替ボタンが操作されず、ＣＤ／ＤＶＤプレーヤ４２０にＣＤやＤＶＤが挿入された場合、あるいはＭＤプレーヤ４３０にＭＤが装着された場合、演算部５２２は利用者の操作を優先し、ＣＤ／ＤＶＤプレーヤ４２０やＭＤプレーヤ４３０を動作させる処理をする。
すなわち、ＣＤ／ＤＶＤプレーヤ４２０の場合では、動作後に操作部５１０の切替ボタンが操作されると、ディスク判別部５２２Ｃにより、ディスク状記録媒体の有無やＣＤかＤＶＤかを読み取らせてＣＤ／ＤＶＤプレーヤ４２０が音声系か映像系かを判断し、次に切り替える再生端末装置４００を順番情報に基づいて認識し切替処理すればよい。
また、ＭＤプレーヤ４３０の場合、動作後に操作部５１０の切替ボタンが操作されると、上述したように、順番情報の順番に従って、カセットテーププレーヤ４４０を動作させる設定をすればよい。【００６０】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。【００６１】
その他、本発明の実施の際の具体的な構造は、本発明の目的を達成できる範囲で他の構造などに適宜変更できる。【００６２】
〔実施形態の効果〕
上述したように、上記一実施形態では、音声データを有するコンテンツデータを再生可能に処理する音声系の再生端末装置４００と映像データを有するコンテンツデータを再生可能に処理する映像系の再生端末装置４００とが複数接続可能な構成で、操作部５１０における利用者の入力操作にて、再生端末装置４００のいずれかに切り替える切替要求を切替要求認識手段５２２Ａが認識すると、ソース切替部５２２Ｂにより、現時点で動作している再生端末装置４００が音声系か映像系かの再生系統を判断し、現時点で動作している再生端末装置と同一の再生系統で他の再生端末装置４００を動作させる状態に切り替える処理をする。
このため、切り替わりの順番で音声系と画像系と混在することなく、音声系と画像系とがまとまった状態のグループで切り替わるので、例えば切替処理時に、音声系を再生中に画面表示させる画像データと、この画像データとデータ形式が異なる映像系で処理する映像データとを切替表示させる表示部２００での画面のちらつきなどの不都合が生じることを最小限に抑えることができ、良好な利用を提供できる。
【産業上の利用可能性】
【００６３】
本発明は、複数の再生端末装置のうちいずれかを動作させてコンテンツデータを再生させる切替制御装置、その方法、そのプログラム、そのプログラムを記録した記録媒体、および、再生装置に利用できる。
【図１】
2007074624.tif 000003
【図２】
2007074624.tif 000004
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
音声データを有するコンテンツデータを再生可能に処理する音声系の再生端末装置および映像データを有するコンテンツデータを再生可能に処理する映像系の再生端末装置がそれぞれ複数接続可能で、前記再生端末装置のいずれかを動作させて前記コンテンツデータを再生させる切替制御装置であって、
入力操作による前記接続される再生端末装置のいずれかに切り替える切替要求を認識する切替要求認識手段と、
この切替要求認識手段にて前記切替要求を認識すると、現時点で動作させている前記再生端末装置が音声系か映像系かの再生系統を判断し、現時点で動作させている前記再生端末装置と同一の再生系統で他の前記再生端末装置を動作させる状態に切り替えるソース切替手段と、
を具備し、
複数の前記再生端末装置には、音声データを有するコンテンツデータおよび映像データを有するコンテンツデータを再生可能に処理する両系統再生端末装置が含まれており、
前記ソース切替手段は、前記両系統再生端末装置の現時点での再生系統が音声系か映像系かを判断して、動作させる前記再生端末装置を切り替える処理をする
ことを特徴とした切替制御装置。
【請求項２】
請求項１に記載の切替制御装置であって、
前記ソース切替手段は、接続された前記再生端末装置で同一の再生系統で動作させる他の前記再生端末装置がない場合には異なる再生系統の前記再生端末装置を動作させる状態に切り替える処理をする
ことを特徴とした切替制御装置。
【請求項３】
請求項１または請求項２に記載の切替制御装置であって、
前記切替要求を認識する毎に次に動作させる前記再生端末装置の順番を記憶する記憶手段を具備し、
前記ソース切替手段は、前記記憶手段に記憶された順番に従って動作させる前記再生端末装置を切り替える処理をする
ことを特徴とした切替制御装置。
【請求項４】
請求項３に記載の切替制御装置であって、
前記記憶手段は、再生させる前記再生端末装置の順番が再生系統で音声系と映像系とにグループ化して記憶している
ことを特徴とした切替制御装置。
【請求項５】
演算手段により、音声データを有するコンテンツデータを再生可能に処理する音声系の再生端末装置、映像データを有するコンテンツデータを再生可能に処理する映像系の再生端末装置、および音声データを有するコンテンツデータおよび映像データを有するコンテンツデータを再生可能に処理する両系統の再生端末装置がそれぞれ複数接続可能に接続され前記処理されたコンテンツデータを出力装置で再生させる再生装置における前記再生端末装置のいずれかを動作させて前記コンテンツデータを再生させる切替制御方法であって、
前記演算手段は、
入力操作による前記接続される再生端末装置のいずれかに切り替える切替要求を認識すると、現時点で動作させている再生端末装置が音声系か映像系かの再生系統を判断し、
この再生系統の判断により認識した現在時点で動作させている前記再生端末装置と同一の再生系統となる他の前記再生端末装置を動作させる状態に切り替える制御をする
ことを特徴とする切替制御方法。
【請求項６】
演算手段を請求項１ないし請求項４のいずれかに記載の切替制御装置として機能させる
ことを特徴とした切替制御プログラム。
【請求項７】
請求項６に記載の切替制御プログラムが演算手段にて読み取り可能に記憶された
ことを特徴とする切替制御プログラムを記録した記録媒体。
【請求項８】
請求項１ないし請求項４のいずれかに記載の切替制御装置と、
前記再生端末装置のいずれかに切り替える切替要求を入力操作可能で入力操作に応じた操作信号を出力する操作手段と、
を具備したことを特徴とした再生装置。
【手続補正２】
【補正対象書類名】明細書
【補正対象項目名】全文
【補正方法】変更
【補正の内容】
【発明の詳細な説明】
【技術分野】
【０００１】
本発明は、複数の再生端末装置のうちいずれかを動作させてコンテンツデータを再生させる切替制御装置、その方法、そのプログラム、そのプログラムを記録した記録媒体、および、再生装置に関する。
【背景技術】
【０００２】
従来、例えば音楽や映像などのコンテンツデータを再生する再生装置として、操作ボタンを操作してソースを切り替える構成が知られている（例えば、特許文献１参照）。
この特許文献１に記載のものは、オーディオソースの切替を指示するソースキーが押し下げ操作されると、変数ｎに１を加算し、ソース選択テーブルにおけるｎ番目のソースに切り替え、順次ソースを切り替える構成が採られている。
【０００３】
【特許文献１】特開２００１−３０９４８１号公報
【発明の開示】
【発明が解決しようとする課題】
【０００４】
しかしながら、上記特許文献１に記載のようなソースキーの押し下げ操作により順次ソースを切り替える際に、例えば、映像を伴わないコンテンツデータを再生させる音声系と、映像を伴うコンテンツデータを再生させる映像系で、切り替える際に表示形態が異なることにより画面がちらついたりノイズが生じたりするなどの不都合を生じるおそれがある。
【０００５】
本発明は、このような実情などに鑑みて、良好な利用状態が得られる切替制御装置、その方法、そのプログラム、そのプログラムを記録した記録媒体、および、再生装置を提供することを１つの目的とする。
【課題を解決するための手段】
【０００６】
本発明の切替制御装置は、音声データを有するコンテンツデータを再生可能に処理する音声系の再生端末装置および映像データを有するコンテンツデータを再生可能に処理する映像系の再生端末装置がそれぞれ複数接続可能で、前記再生端末装置のいずれかを動作させて前記コンテンツデータを再生させる切替制御装置であって、入力操作による前記接続される再生端末装置のいずれかに切り替える切替要求を認識する切替要求認識手段と、この切替要求認識手段にて前記切替要求を認識すると、現時点で動作させている前記再生端末装置が音声系か映像系かの再生系統を判断し、現時点で動作させている前記再生端末装置と同一の再生系統で他の前記再生端末装置を動作させる状態に切り替えるソース切替手段と、を具備し、複数の前記再生端末装置には、音声データを有するコンテンツデータおよび映像データを有するコンテンツデータを再生可能に処理する両系統再生端末装置が含まれており、前記ソース切替手段は、前記両系統再生端末装置の現時点での再生系統が音声系か映像系かを判断して、動作させる前記再生端末装置を切り替える処理をすることを特徴とする。
【０００７】
本発明の切替制御方法は、演算手段により、音声データを有するコンテンツデータを再生可能に処理する音声系の再生端末装置、映像データを有するコンテンツデータを再生可能に処理する映像系の再生端末装置、および音声データを有するコンテンツデータおよび映像データを有するコンテンツデータを再生可能に処理する両系統の再生端末装置がそれぞれ複数接続可能に接続され前記処理されたコンテンツデータを出力装置で再生させる再生装置における前記再生端末装置のいずれかを動作させて前記コンテンツデータを再生させる切替制御方法であって、前記演算手段は、入力操作による前記接続される再生端末装置のいずれかに切り替える切替要求を認識すると、現時点で動作させている再生端末装置が音声系か映像系かの再生系統を判断し、この再生系統の判断により認識した現在時点で動作させている前記再生端末装置と同一の再生系統となる他の前記再生端末装置を動作させる状態に切り替える制御をすることを特徴とする。
【０００８】
本発明の切替制御プログラムは、演算手段を前述した本発明の切替制御装置として機能させることを特徴とする。
【０００９】
本発明の切替制御プログラムを記録した記録媒体は、前述した本発明の切替制御プログラムが演算手段にて読み取り可能に記憶されたことを特徴とする。
【００１０】
本発明の再生装置は、前述した本発明の切替制御装置と、前記再生端末装置のいずれかに切り替える切替要求を入力操作可能で入力操作に応じた操作信号を出力する操作手段と、を具備したことを特徴とする。
【発明を実施するための最良の形態】
【００１１】
以下、本発明の一実施形態を図面に基づいて説明する。本実施形態では、本発明の切替制御装置を備え各種再生端末装置が接続された再生装置としても機能する再生システムを例示して説明するが、これに限られず、複数の処理を実施するいずれの構成でも適用できる。そして、コンテンツの処理としては、再生のみに限らず、コンテンツデータを記録する処理を実施する構成としてもよい。また、再生端末装置の接続状態は、本実施形態に限らず、いずれかが接続された構成や、例えば着脱可能なメモリが装着されてメモリに記憶されたコンテンツを再生する端末装置など、他の構成が接続される構成でもよい。
図１は、本発明の一実施形態における再生装置の概略構成を示すブロック図である。
【００１２】
〔再生システムの構成〕
図１において、１００は移動体である車両に搭載される車載用の再生システムで、この再生システム１００は、音楽や音声、映像などの各種コンテンツデータを再生するシステムである。なお、移動体としては、車両に限らず、飛行機、船舶などいずれの移動体が対象となる。
そして、再生システム１００は、出力装置としての表示部２００と、出力装置としてのスピーカ３００と、再生端末装置４００と、再生装置５００と、を備えている。
【００１３】
表示部２００は、再生装置５００に各種情報が送受信可能に接続されている。この表示部２００は、再生装置５００にて制御され再生装置５００から出力される静止画や映像などの画像データや映像データを画面表示する。
この表示部２００としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１４】
スピーカ３００は、車両に搭載され再生装置５００に接続されている。このスピーカ３００は、再生装置５００から出力される音声データを発音により再生する。
【００１５】
再生端末装置４００は、再生装置５００に接続され、再生装置５００からの指令信号に基づいて、記録媒体に記録されたコンテンツデータや放送波として配信されるコンテンツデータを取得して再生のための処理をする。
この再生端末装置４００としては、例えばラジオチューナー部４１０、ＣＤ（Compact Disc）／ＤＶＤ（Digital Versatile Disc）プレーヤ４２０、ＭＤ（Mini Disc）プレーヤ４３０、カセットテーププレーヤ４４０、テレビジョンチューナー部４５０、ビデオテーププレーヤ４６０などが例示できる。なお、再生端末装置４００としては、これらに限らず、例えばＨＤ（Hard Disk）プレーヤや、メモリカードプレーヤなど、各種構成が適用できる。
これら再生端末装置４００は、コンテンツデータとして、映像を含まないラジオやＣＤなどの音声データのみを処理する音声系の構成と、映像データを処理する映像系の構成と、に分類できる。すなわち、再生端末装置４００は、ラジオチューナー部４１０、ＣＤが装着されたＣＤ／ＤＶＤプレーヤ４２０、ＭＤ（Mini Disc）プレーヤ４３０、カセットテーププレーヤ４４０は音声系で、ＤＶＤが装着されたＣＤ／ＤＶＤプレーヤ４２０、テレビジョンチューナー部４５０、ビデオテーププレーヤ４６０は、映像系である。これらの両系統の再生端末装置４００が再生装置５００に接続されている。
【００１６】
ラジオチューナー部４１０は、ラジオ放送を再生するための音声系の装置である。このラジオチューナー部４１０は、再生装置５００からの指令信号に応じて、所定の周波数帯の放送波であるラジオ放送波を受信し、コンテンツデータである音声データを抽出して再生装置５００へ出力する。
【００１７】
ＣＤ／ＤＶＤプレーヤ４２０は、記録媒体であるＣＤやＤＶＤを再生するためのドライブ装置で、映像を含まない音声データを記録したＣＤやＤＶＤが装着された場合には音声系、映像データを含むＤＶＤが装着された場合には映像系として機能する装置である。
ＣＤ／ＤＶＤプレーヤ４２０は、この再生装置５００からの指令信号に応じて、着脱可能に装着されたＣＤやＤＶＤに記録された所定のコンテンツデータである音声データ、あるいは音声データおよび映像データの双方を読み取り、適宜処理して再生装置５００へ出力する。
【００１８】
ＭＤプレーヤ４３０は、記録媒体であるＭＤを再生するためのドライブ装置で、音声系の装置である。このＭＤプレーヤ４３０は、再生装置５００からの指令信号に応じて、着脱可能に装着されたＭＤに記録された所定のコンテンツデータである音声データを読み取り、適宜処理して再生装置５００へ出力する。
【００１９】
カセットテーププレーヤ４４０は、記録媒体であるカセットテープを再生するための音声系の装置である。このカセットテーププレーヤ４４０は、再生装置５００からの指令信号に応じて、着脱可能に装着されたカセットテープに記録された音声データを読み取り、適宜処理して再生装置５００へ出力する。
【００２０】
テレビジョンチューナー部４５０は、テレビジョン（ＴＶ）放送を再生するための映像系の装置である。このテレビジョンチューナー部４５０は、再生装置５００からの指令信号に応じて、所定の周波数帯の放送波であるテレビジョン放送波を受信し、音声データおよび映像データを抽出して再生装置５００へ出力する。
【００２１】
ビデオテーププレーヤ４６０は、携帯用撮像装置などのビデオテープレコーダ（Video Tape Recorder：ＶＴＲ）などにより記録された記録媒体であるビデオカセットテープを再生するための映像系の装置である。このビデオテーププレーヤ４６０は、再生装置５００からの指令信号に応じて、着脱可能に装着されたビデオカセットテープに記録された音声データおよび映像データを読み取り、適宜処理して再生装置５００へ出力する。
【００２２】
再生装置５００は、接続されている複数の再生端末装置４００のうち、いずれかを動作制御してコンテンツデータを表示部２００やスピーカ３００で再生させる処理をする。この再生装置５００は、操作手段としての操作部５１０と、本体部５２０と、を備えている。
【００２３】
操作部５１０は、本体部５２０に一体的に設けられ、利用者が入力操作可能に例えば本体部５２０の正面に位置する状態に配設された操作ボタンや操作つまみなどを備えている。そして、操作部５１０は、利用者による入力操作に応じた操作信号を接続された再生装置５００へ出力し再生装置５００で設定入力させる。
この操作部５１０における入力操作としては、例えば、接続されている再生端末装置４００のうち、動作させる再生端末装置４００のいずれかに押動操作毎に順次切り替える切替操作、音量の大きさを変更する音量設定操作、表示状態を調整する表示調整操作、コンテンツデータを特定するコンテンツ選択操作などが例示できる。
そして、本実施形態では、再生端末装置４００の切替操作として、押動操作される切替ボタンの入力操作により操作信号として動作させる再生端末装置４００すなわちソースを切り替える切替要求信号が出力される構成を例示する。なお、回転操作によりソースが順次切り替わる構成など、いずれの構成が適用できる。
【００２４】
本体部５２０は、例えば矩形箱状の図示しない筐体内に配設された、記憶手段としてのメモリ５２１と、演算手段としての演算部５２２と、などを備えている。
メモリ５２１は、例えば操作部５１０における操作信号により演算部５２２で設定入力された事項や、音声系の再生端末装置４００を動作させて音声データを再生する際に、表示部２００で画面表示させる所定の画像データなどを記憶している。
【００２５】
また、メモリ５２１には、操作部５１０における利用者により、動作させる再生端末装置４００の切替要求が入力された場合に、動作させる再生端末装置４００の切り替える順番すなわちソース切替の順番に関する順番情報が記憶されている。この順番情報は、例えば音声系と映像系とにグループ化され、グループ化された中で順次切り替わり、そのグループの次は次のグループに順次切り替わる。
具体的には、音声系であるラジオチューナー部４１０の次が、ＣＤが装着されたＣＤ／ＤＶＤプレーヤ４２０、この次がＭＤプレーヤ４３０、この次がカセットテーププレーヤ４４０の順番で、映像系であるＤＶＤが装着されたＣＤ／ＤＶＤプレーヤ４２０、この次がテレビジョンチューナー部４５０、この次がビデオテーププレーヤ４６０の順番で切り替えられるようになっている。さらに、音声系の最後となるカセットテーププレーヤ４４０の次は、次のグループであり最後のグループとなる映像系の最初となるＤＶＤが装着されたＣＤ／ＤＶＤプレーヤ４２０へ順次切り替わり、映像系の最後となるビデオテーププレーヤ４６０の次は、最初のグループとなる音声系の最初となるラジオチューナー部４１０に順次切り替わる。すなわち、ラジオチューナー部４１０→ＣＤが装着されたＣＤ／ＤＶＤプレーヤ４２０→ＭＤプレーヤ４３０→カセットテーププレーヤ４４０→ＤＶＤが装着されたＣＤ／ＤＶＤプレーヤ４２０→テレビジョンチューナー部４５０→ビデオテーププレーヤ４６０→ラジオチューナー部４１０に戻るループ状の順番となっている。
【００２６】
なお、順番情報は、例えば操作部５１０の操作により、適宜変更可能としてもよい。この変更としては、音声系および映像系の各グループ内で変更可能とすることが好ましい。
また、メモリ５２１としては、ＨＤ（Hard Disk）、ＤＶＤなどの光ディスク、光磁気ディスク、メモリカードなどの各種記録媒体に読み出し可能に記憶するドライブやドライバなどを備えた構成としてもよい。なお、例えば停電などにより突然電源が落ちた際にも記憶が保持される構成のメモリであるＣＭＯＳ（Complementary Metal-Oxide Semiconductor）メモリなどを用いることが望ましい。
【００２７】
演算部５２２は、例えばＣＰＵ（Central Processing Unit）を備え、再生システム１００全体における各種処理を実施する。演算部５２２は、再生システム１００全体を動作制御するＯＳ（Operating System）上に展開される各種プログラムとして、切替要求認識手段５２２Ａと、ソース切替部５２２Ｂと、ディスク判別部５２２Ｃと、などを備えている。
【００２８】
切替要求認識手段５２２Ａは、操作部５１０からの操作信号における動作させる再生端末装置４００を切り替える旨の切替要求信号を認識、具体的には操作部５１０の切替ボタンの押動操作による切替要求信号の有無を認識する。そして、切替要求認識手段５２２Ａは、操作部５１０からの切替要求信号を認識すると、その旨の確認信号をソース切替部５２２Ｂへ出力する。
【００２９】
ソース切替部５２２Ｂは、切替要求認識手段５２２Ａからの切替要求信号を認識した旨の確認信号を認識すると、現時点で選択されて動作されている再生端末装置４００の再生系統が音声系か映像系かを判断する。すなわち、ラジオチューナー部４１０、ＣＤ／ＤＶＤプレーヤ４２０、ＭＤプレーヤ４３０、カセットテーププレーヤ４４０、テレビジョンチューナー部４５０、ビデオテーププレーヤ４６０のうちのいずれであるかを判断する。
そして、ソース切替部５２２Ｂは、現時点で動作している再生端末装置４００と同一の再生系統で他の再生端末装置４００に切り替える。この同一の再生系統の他の再生端末装置４００への切り替えとしては、上述したように、メモリ５２１に記憶された順番情報に従った順番で切り替える。
【００３０】
また、ソース切替部５２２Ｂは、例えば電力の供給直後など、現時点では再生端末装置４００が動作していないことを認識すると、電源が投入される前に電源の供給により電源の供給が停止される直前に動作していた再生端末装置４００がいずれの再生端末装置４００かをメモリ５２１に記憶されているかを検索する。そして、従前に動作していた再生端末装置４００が認められた場合には、その従前の再生端末装置４００を動作させる設定をする。また、例えば初期状態など、メモリ５２１に従前に動作していた再生端末装置４００が記憶されていない場合には、例えば最初のグループの最初の順番となるラジオチューナー部４１０を動作させる設定をする。
【００３１】
ディスク判別部５２２Ｃは、メモリ５２１に記憶された順番情報における順番において、音声系および映像系の双方として機能し得る再生端末装置４００が音声系か映像系かを判断する。具体的には、ディスク判別部５２２Ｃは、音声系および映像系の双方で機能し得るＣＤ／ＤＶＤプレーヤ４２０に装着されているディスク状記録媒体がＣＤかＤＶＤかを判断し、ＣＤが装着されている場合には音声系と判断し、ＤＶＤが装着されている場合には映像系と判断し、それらの旨をソース切替部５２２Ｂへ出力する。
【００３２】
〔再生システムの動作〕
次に、上記実施形態における再生システム１００の動作について、図２を参照して説明する。
図２は、ソース切替の際の切替処理の動作を示すフローチャートである。
【００３３】
まず、再生システム１００に電力が供給されると、再生装置５００の演算部５２２は初期状態としてメモリ５２１に記憶されたメニュー画面を表示部２００に画面表示させる処理をし、利用者による動作設定の入力待機状態となる。なお、接続されている各再生端末装置４００は、利用者による動作設定の入力操作により、動作可能な動作待機状態となる。
そして、利用者が操作部５１０の切替ボタンを押動操作すると、演算部５２２は、ソースの切替処理を実施する。
【００３４】
すなわち、操作部５１０の切替ボタンが押動操作されると、図２に示すように、演算部５２２の切替要求認識手段５２２Ａが切替ボタンの押動操作による操作部５１０からの切替要求信号を認識し（ステップＳ１０１）、その旨の確認信号をソース切替部５２２Ｂへ出力する。
この確認信号を認識したソース切替部５２２Ｂは、現時点で選択されて動作している再生端末装置４００がいずれの再生端末装置４００か判断する（ステップＳ１０２）。
【００３５】
このステップＳ１０２で、ソース切替部５２２Ｂが現時点で動作している再生端末装置４００がないと判断した場合、電源が投入される前に電源の供給により電源の供給が停止される直前に動作していた再生端末装置４００がいずれの再生端末装置４００かをメモリ５２１に記憶されているかを検索する。そして、従前に動作していた再生端末装置４００が認められた場合には、その従前の再生端末装置４００を動作させる設定をする。
また、例えば初期状態など、メモリ５２１に従前に動作していた再生端末装置４００が記憶されていない場合には、例えば最初のグループの最初の順番となるラジオチューナー部４１０を動作させる設定をする。
すなわち、操作部５１０の入力操作に応じた操作信号に基づく演算部５２２からの制御信号により、ラジオチューナー部４１０で所定の周波数帯の放送波であるラジオ放送波を受信させ、ラジオ放送波から音声データを抽出させて演算部５２２へ出力させる。そして、演算部５２２は、ラジオチューナー部４１０から取得した音声データを適宜増幅処理するなどしてスピーカ３００から出力させる。
【００３６】
一方、ステップＳ１０２において、ソース切替部５２２Ｂが現時点で動作している再生端末装置４００がラジオチューナー部４１０であると判断した場合、同一の再生系統である音声系で他の再生端末装置４００、すなわち次の順番となるＣＤが装着されたＣＤ／ＤＶＤプレーヤ４２０を動作させる処理に移行する。ここで、演算部５２２は、ＣＤ／ＤＶＤプレーヤ４２０が音声系か映像系かのいずれの再生系統かをディスク判別部５２２Ｃにより判断する（ステップＳ１０３）。
【００３７】
このステップＳ１０３における再生系統の判断は、例えばディスク判別部５２２ＣがＣＤ／ＤＶＤプレーヤ４２０を動作させ、光ピックアップによりディスク状記録媒体が装着されているか、装着されているディスク状記録媒体はＣＤかＤＶＤかを読み取らせて判断する。なお、これらの判断は、光ピックアップによる読取処理に限られるものではなく、例えばＣＤ／ＤＶＤプレーヤ４２０に配設された各種センサにより判断するなど、いずれの方法が適用できる。
そして、ディスク判別部５２２Ｃが、ＣＤ／ＤＶＤプレーヤ４２０の読取動作でＣＤが装着されていると判断すると、ソース切替部５２２Ｂは、ＣＤ／ＤＶＤプレーヤ４２０が現時点で動作させているラジオチューナー部４１０と同一の音声系と判断し、そのままＣＤ／ＤＶＤプレーヤ４２０を動作させる設定をする（ステップＳ１０４）。
すなわち、演算部５２２は、操作部５１０の入力操作に応じた操作信号に基づく制御信号により、ＣＤ／ＤＶＤプレーヤ４２０で装着されているＣＤから所定の楽曲データなどの音声データを読み取らせ、適宜処理させて演算部５２２へ出力させる。そして、演算部５２２は、ＣＤ／ＤＶＤプレーヤ４２０から取得した音声データを適宜増幅処理するなどしてスピーカ３００から出力させる。さらに、演算部５２２は、音声系の再生端末装置４００を動作制御していることから、メモリ５２１から表示部２００で画面表示させる例えばＣＤ再生用などの所定の画像データを読み出し、表示部２００で画面表示させる処理をする。
【００３８】
一方、ステップＳ１０３において、ディスク判別部５２２Ｃが、ＣＤ／ＤＶＤプレーヤ４２０の読取動作でＣＤが装着されていない、もしくはＤＶＤが装着されていると判断すると、ソース切替部５２２Ｂは、ＣＤ／ＤＶＤプレーヤ４２０が現時点で動作させているラジオチューナー部４１０と同一の音声系と判断し、音声系で機能するＣＤ／ＤＶＤプレーヤ４２０は接続されていないと判断する。この判断により、ソース切替部５２２Ｂは、順番情報に基づいて、音声系におけるさらに次の順番となるＭＤプレーヤ４３０を動作させる設定をする（ステップＳ１０５）。
すなわち、演算部５２２は、操作部５１０の入力操作に応じた操作信号に基づく制御信号により、ＭＤプレーヤ４３０で装着されているＭＤから所定の音声データを読み取らせ、適宜処理させて演算部５２２へ出力させる。そして、演算部５２２は、上述したように、ＭＤプレーヤ４３０から取得した音声データを適宜増幅処理するなどしてスピーカ３００から出力させるとともに、メモリ５２１から例えばＭＤ再生用などの所定の画像データを読み出して表示部２００で画面表示させる処理をする。
【００３９】
また、ステップＳ１０２において、ソース切替部５２２Ｂが現時点で動作している再生端末装置４００が音声系であるＣＤが装着されたＣＤ／ＤＶＤプレーヤ４２０であると判断、すなわちＣＤ／ＤＶＤプレーヤ４２０でＣＤを再生処理させている音声系の処理と判断した場合、同一の再生系統である音声系で他の再生端末装置４００となる順番情報における次の順番の上述したＭＤプレーヤ４３０を動作させる設定をする（ステップＳ１０５）。
【００４０】
さらに、ステップＳ１０２において、ソース切替部５２２Ｂが現時点で動作している再生端末装置４００がＭＤプレーヤ４３０であると判断した場合、同一系の音声系で他の再生端末装置４００、すなわち次の順番となるカセットテーププレーヤ４４０を動作させる設定をする（ステップＳ１０６）。
すなわち、演算部５２２は、操作部５１０の入力操作に応じた操作信号に基づく制御信号により、カセットテーププレーヤ４４０で装着されたカセットテープから所定の音声データを読み取らせ、適宜処理させて演算部５２２へ出力させる。そして、演算部５２２は、上述したように、カセットテーププレーヤ４４０から取得した音声データを適宜増幅処理するなどしてスピーカ３００から出力させるとともに、メモリ５２１から例えばカセットテープ再生用などの所定の画像データを読み出して表示部２００で画面表示させる処理をする。
【００４１】
また、ステップＳ１０２において、ソース切替部５２２Ｂが現時点で動作している再生端末装置４００がカセットテーププレーヤ４４０であると判断した場合、同一系の音声系で他の再生端末装置４００となる次の順番の再生端末装置４００がないので、次のグループである映像系における最初の順番となるＤＶＤが装着されたＣＤ／ＤＶＤプレーヤを動作させる処理に移行する。ここで、演算部５２２は、上述したように、ＣＤ／ＤＶＤプレーヤ４２０が音声系か映像系かのいずれの再生系統かをディスク判別部５２２Ｃにより判断する（ステップＳ１０７）。
そして、このステップＳ１０７で、ディスク判別部５２２Ｃが上述したような読取処理によりＤＶＤが装着されていると判断すると、ソース切替部５２２Ｂは、映像系として機能するＣＤ／ＤＶＤプレーヤ４２０であると判断し、そのままＣＤ／ＤＶＤプレーヤ４２０を動作させる設定をする（ステップＳ１０８）。
すなわち、演算部５２２は、操作部５１０の入力操作に応じた操作信号に基づく制御信号により、ＣＤ／ＤＶＤプレーヤ４２０で装着されているＤＶＤから所定の音声データおよび映像データを読み取らせ、適宜処理させて演算部５２２へ出力させる。そして、演算部５２２は、ＣＤ／ＤＶＤプレーヤ４２０から取得した音声データを適宜増幅処理するなどしてスピーカ３００から出力させるとともに、取得した映像データを音声と同期させて表示部２００で表示させる処理をする。
【００４２】
一方、ステップＳ１０７において、ディスク判別部５２２Ｃが、ＣＤ／ＤＶＤプレーヤ４２０の読取動作でＤＶＤが装着されていない、もしくはＣＤが装着されていると判断すると、ソース切替部５２２Ｂは、映像系で機能するＣＤ／ＤＶＤプレーヤ４２０は接続されていないと判断する。この判断により、ソース切替部５２２Ｂは、順番情報に基づいて、映像系におけるさらに次の順番となるテレビジョンチューナー部４５０を動作させる設定をする（ステップＳ１０９）。
すなわち、演算部５２２は、操作部５１０の入力操作に応じた操作信号に基づく演算部５２２からの制御信号により、テレビジョンチューナー部４５０で所定の周波数帯の放送波であるテレビジョン放送波を受信させ、テレビジョン放送波から音声データおよび映像データを抽出させて演算部５２２へ出力させる。そして、演算部５２２は、テレビジョンチューナー部４５０から取得した音声データを適宜増幅処理するなどしてスピーカ３００から出力させるとともに、取得した映像データを音声と同期させて表示部２００で表示させる処理をする。
【００４３】
また、ステップＳ１０２において、ソース切替部５２２Ｂが現時点で動作している再生端末装置４００が映像系であるＤＶＤが装着されたＣＤ／ＤＶＤプレーヤ４２０であると判断、すなわちＣＤ／ＤＶＤプレーヤ４２０でＤＶＤを再生処理させている映像系の処理と判断した場合、同一の再生系統である映像系で他の再生端末装置４００となる順番情報における次の順番の上述したテレビジョンチューナー部４５０を動作させる設定をする（ステップＳ１０９）。
【００４４】
さらに、ステップＳ１０２において、ソース切替部５２２Ｂが現時点で動作している再生端末装置４００がテレビジョンチューナー部４５０である判断した場合、同一系の映像系で他の再生端末装置４００、すなわち次の順番となるビデオテーププレーヤ４６０を動作させる設定をする（ステップＳ１１０）。
すなわち、演算部５２２は、操作部５１０の入力操作に応じた操作信号に基づく制御信号により、ビデオテーププレーヤ４６０で装着されたビデオカセットテープから所定の音声データおよび映像データを読み取らせ、適宜処理させて演算部５２２へ出力させる。そして、演算部５２２は、カセットテーププレーヤ４４０から取得した音声データを適宜増幅処理するなどしてスピーカ３００から出力させるとともに、取得した映像データを音声と同期させて表示部２００で表示させる処理をする。
【００４５】
また、ステップＳ１０２において、ソース切替部５２２Ｂが現時点で動作している再生端末装置４００がビデオテーププレーヤ４６０であると判断した場合、同一系の映像系で他の再生端末装置４００となる次の順番の再生端末装置４００がないので、元のグループに戻って音声系における最初の順番となる上述したラジオチューナー部４１０を動作させる処理に移行する（ステップＳ１１１）。
【００４６】
このようにして、操作部５１０の切替ボタンが操作されることで、ラジオチューナー部４１０→ＣＤが装着されたＣＤ／ＤＶＤプレーヤ４２０→ＭＤプレーヤ４３０→カセットテーププレーヤ４４０→ＤＶＤが装着されたＣＤ／ＤＶＤプレーヤ４２０→テレビジョンチューナー部４５０→ビデオテーププレーヤ４６０→ラジオチューナー部４１０に戻るループ状の順番で、音声系と映像系とでまとまって順次切り替わる。
そして、音声系ではメモリ５２１に記憶された所定の画像データが表示され、映像系では音声系で表示させる画像データとデータ形式が異なるコンテンツデータの映像データが表示される。このことから、切り替わりの順番で音声系と画像系と混在することなく、音声系と画像系とがまとまった状態のグループで切り替わるので、切替処理時にデータ形式が異なる画像データおよび映像データを切替表示させるための表示部２００における画面のちらつきなどの不都合が生じることを最小限に抑えられる。
【００４７】
〔再生システムの作用効果〕
上述したように、上記実施形態では、音声データを有するコンテンツデータを再生可能に処理する音声系の再生端末装置４００と映像データを有するコンテンツデータを再生可能に処理する映像系の再生端末装置４００とが接続される再生装置５００で、操作部５１０における利用者の入力操作にて、再生端末装置４００のいずれかに切り替える切替要求を切替要求認識手段５２２Ａが認識すると、ソース切替部５２２Ｂにより、現時点で動作している再生端末装置４００が音声系か映像系かの再生系統を判断し、現時点で動作している再生端末装置と同一の再生系統で他の再生端末装置４００を動作させる状態に切り替える処理をする。
このため、切り替わりの順番で音声系と画像系と混在することなく、音声系と画像系とがまとまった状態のグループで切り替わるので、例えば切替処理時に、音声系を再生中に画面表示させる画像データと、この画像データとデータ形式が異なる映像系で処理する映像データとを切替表示させる表示部２００での画面のちらつきなどの不都合が生じることを最小限に抑えることができ、良好な利用を提供できる。
【００４８】
特に、ＣＤ／ＤＶＤプレーヤ４２０のような音声系と映像系との双方で機能し得る再生端末装置４００の場合では、ディスク判別部５２２Ｃにより装着されるディスク状記録媒体を読み取らせ、ソース切替部５２２ＢによりＣＤ／ＤＶＤプレーヤ４２０のような再生端末装置４００が音声系か映像系かを判断している。
このため、一般的に利用されているディスク状記録媒体の有無や種別を認識する構成を利用するのみで容易に再生系統を認識でき、迅速な切替処理ができる。
【００４９】
そして、操作部５１０での利用者の入力操作による切替要求を認識する毎に次に動作させる再生端末装置４００の順番に関する順番情報をメモリ５２１に記憶させ、ソース切替部５２２Ｂにより順番情報の順番に従って動作させる再生端末装置４００を順次切り替える。
このため、現時点で動作させている再生端末装置４００が音声系か映像系かを判断して、順番情報に基づいて次の再生端末装置４００を動作させる処理とすればよいので、順番に関する簡単なデータ構造の順番情報で処理を容易に迅速化でき、より良好な利用を提供できる。
【００５０】
さらに、順番情報として、音声系と映像系とにあらかじめグループ化して記憶している。
このため、次に動作させる同一の再生系統の再生端末装置４００の選定がより迅速にできる。
【００５１】
また、ソース切替部５２２Ｂは、同一の再生系統で動作させる他の再生端末装置がない場合に、異なる再生系統の再生端末装置４００に切り替える処理をしている。
このため、順番情報として音声系と映像系にグループ化し一連のループ状に切り替わる構成として構築することが容易で、再生端末装置４００を再生系統毎に順次切り替えることが容易にできる。
【００５２】
そして、演算部５２２として例えばＣＰＵなどを用いてプログラムとして構成しているので、プログラムをインストールすることで、切替による画面のちらつきなどの不都合がなく良好に利用できる構成が容易に得られ利用の拡大が容易に図れる。そして、順番情報として順番を変更可能とすることで、利用者の思考に応じた切替状態を提供でき、汎用性の向上も図れる。
なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【００５３】
〔実施形態の変形〕
なお、本発明は、上述した一実施形態に限定されるものではなく、本発明の目的を達成できる範囲で以下に示される変形をも含むものである。
【００５４】
すなわち、車両に搭載される構成に限らず、家庭用など設置タイプなど、各種形態に適用できる。
また、上述したラジオチューナー部４１０→ＣＤが装着されたＣＤ／ＤＶＤプレーヤ４２０→ＭＤプレーヤ４３０→カセットテーププレーヤ４４０→ＤＶＤが装着されたＣＤ／ＤＶＤプレーヤ４２０→テレビジョンチューナー部４５０→ビデオテーププレーヤ４６０→ラジオチューナー部４１０に戻るループ状の順番に限られず、適宜設定可能であり、また利用者により適宜変更可能としてもよい。
【００５５】
そして、メモリ５２１に順番情報を記憶しこの順番に従って切り替える構成を例示したが、順番情報を利用する構成に限らない。
例えば、動作される毎に計数し、切替要求時に従前に動作していた再生端末装置４００でなく現時点の動作する再生端末装置４００と同一の再生系統の他の再生端末装置４００に切り替えるなど、その都度判断して切替処理するなどしてもよい。
また、順番情報としては、上述したループ状の順番となるデータ構造に限らず、いずれのデータ構造で構築できる。
【００５６】
また、上述した切替処理において、ステップＳ１０４，Ｓ１０５，Ｓ１０６，Ｓ１０８，Ｓ１０９，Ｓ１１０，Ｓ１１１における各再生端末装置４００の動作処理において、動作処理の対象となる再生端末装置４００が実際に接続されていないことを認識した場合、順番情報におけるさらに次の再生端末装置４００を動作させる処理に移行させてもよい。
さらに、最初に音声系を順次切り替えた後に映像系を順次切り替える構成としたが、逆の構成としてもよい。また、各音声系および映像系のグループ内での順番は上述した構成に限らず、他の順番とすることができる。
【００５７】
なお、切替ボタンが操作されず、ＣＤ／ＤＶＤプレーヤ４２０にＣＤやＤＶＤが挿入された場合、あるいはＭＤプレーヤ４３０にＭＤが装着された場合、演算部５２２は利用者の操作を優先し、ＣＤ／ＤＶＤプレーヤ４２０やＭＤプレーヤ４３０を動作させる処理をする。
すなわち、ＣＤ／ＤＶＤプレーヤ４２０の場合では、動作後に操作部５１０の切替ボタンが操作されると、ディスク判別部５２２Ｃにより、ディスク状記録媒体の有無やＣＤかＤＶＤかを読み取らせてＣＤ／ＤＶＤプレーヤ４２０が音声系か映像系かを判断し、次に切り替える再生端末装置４００を順番情報に基づいて認識し切替処理すればよい。
また、ＭＤプレーヤ４３０の場合、動作後に操作部５１０の切替ボタンが操作されると、上述したように、順番情報の順番に従って、カセットテーププレーヤ４４０を動作させる設定をすればよい。
【００５８】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００５９】
その他、本発明の実施の際の具体的な構造は、本発明の目的を達成できる範囲で他の構造などに適宜変更できる。
【００６０】
〔実施形態の効果〕
上述したように、上記一実施形態では、音声データを有するコンテンツデータを再生可能に処理する音声系の再生端末装置４００と映像データを有するコンテンツデータを再生可能に処理する映像系の再生端末装置４００とが複数接続可能な構成で、操作部５１０における利用者の入力操作にて、再生端末装置４００のいずれかに切り替える切替要求を切替要求認識手段５２２Ａが認識すると、ソース切替部５２２Ｂにより、現時点で動作している再生端末装置４００が音声系か映像系かの再生系統を判断し、現時点で動作している再生端末装置と同一の再生系統で他の再生端末装置４００を動作させる状態に切り替える処理をする。
このため、切り替わりの順番で音声系と画像系と混在することなく、音声系と画像系とがまとまった状態のグループで切り替わるので、例えば切替処理時に、音声系を再生中に画面表示させる画像データと、この画像データとデータ形式が異なる映像系で処理する映像データとを切替表示させる表示部２００での画面のちらつきなどの不都合が生じることを最小限に抑えることができ、良好な利用を提供できる。
【産業上の利用可能性】
【００６１】
本発明は、複数の再生端末装置のうちいずれかを動作させてコンテンツデータを再生させる切替制御装置、その方法、そのプログラム、そのプログラムを記録した記録媒体、および、再生装置に利用できる。
【図面の簡単な説明】
【００６２】
【図１】本発明の一実施形態における再生システムの概略構成を示すブロック図である。
【図２】前記実施形態における再生システムでのソースの切替処理の動作を示すフローチャートである。
【符号の説明】
【００６３】
１００……再生装置としても機能する再生システム
２００……出力装置としての表示部
３００……出力装置としてのスピーカ
５００……再生装置
５１０……操作手段としての操作部
５２１……記憶手段としてのメモリ
５２２……演算手段としての切替制御装置である演算部
５２２Ａ…切替要求認識手段
５２２Ｂ…ソース切替手段としてのソース切替部
【国際調査報告】
2007074624.tif 000005
2007074624.tif 000006